(57)【特許請求の範囲】
【請求項１】
入力される映像信号が標準信号であるか否かを判定する映像信号処理装置において、
前記映像信号の水平同期信号に対する前記映像信号の垂直同期信号の位相差に対応して、フィールドＩＤ信号を生成するフィールドＩＤ信号生成手段と、
前記垂直同期信号のエッジに対応して、所定の範囲で循環されるカウント値をカウントアップする第１のカウント手段と、
前記フィールドＩＤ信号の両エッジにそれぞれ対応して、所定の範囲で循環されるカウント値をカウントアップする第２のカウント手段と、
前記第１のカウント手段のカウント値が第１の値であるとき、前記垂直同期信号のエッジに対応して、前記第２のカウント手段のカウント値を取得する取得手段と、
前記取得手段によって取得された前記第２のカウント手段のカウント値に基づき、前記映像信号が前記標準信号であるか非標準信号であるかを判定する判定手段と
を含むことを特徴とする映像信号処理装置。
【請求項２】
前記判定手段は、前記取得手段によって取得された前記第２のカウント手段のカウント値も前記第１の値である場合、前記映像信号が前記標準信号であると判定し、前記取得手段によって取得された前記第２のカウント手段のカウント値が第２の値である場合、前記映像信号が前記非標準信号であると判定し、前記取得手段によって取得された前記第２のカウント手段のカウント値が前記第１の値および前記第２の値のいずれでもない場合、前回の判定結果を保持する
ことを特徴とする請求項１に記載の映像信号処理装置。
【請求項３】
前記標準信号は、偶数フィールドと奇数フィールドが交互に配置されたインタレース方式の映像信号である
ことを特徴とする請求項１に記載の映像信号処理装置。
【請求項４】
入力される映像信号が標準信号であるか否かを判定する映像信号処理装置の映像信号処理方法において、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理でのカウント値が第１の値であるとき、前記垂直同期信号のエッジに対応して、前記第２のカウントステップの処理でのカウント値を取得する取得ステップと、
前記取得ステップの処理で取得された前記第２のカウントステップの処理でのカウント値に基づき、前記映像信号が前記標準信号であるか非標準信号であるかを判定する判定ステップと
を含むことを特徴とする映像信号処理方法。
【請求項５】
入力される映像信号が標準信号であるか否かを判定するプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理でのカウント値が第１の値であるとき、前記垂直同期信号のエッジに対応して、前記第２のカウントステップの処理でのカウント値を取得する取得ステップと、
前記取得ステップの処理で取得された前記第２のカウントステップの処理でのカウント値に基づき、前記映像信号が前記標準信号であるか非標準信号であるかを判定する判定ステップと
を含むことを特徴とするコンピュータが読み取り可能なプログラムが記録されている記録媒体。
【請求項６】
入力される映像信号が標準信号であるか否かを判定するプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理でのカウント値が第１の値であるとき、前記垂直同期信号のエッジに対応して、前記第２のカウントステップの処理でのカウント値を取得する取得ステップと、
前記取得ステップの処理で取得された前記第２のカウントステップの処理でのカウント値に基づき、前記映像信号が前記標準信号であるか非標準信号であるかを判定する判定ステップと
を含む処理をコンピュータに実行させることを特徴とするプログラム。
【請求項７】
入力される映像信号が標準的な信号であるか否かを判定する映像信号処理装置において、
前記映像信号の水平同期信号に対する前記映像信号の垂直同期信号の位相差に対応して、フィールドＩＤ信号を生成するフィールドＩＤ信号生成手段と、
前記垂直同期信号のエッジに対応して、所定の範囲で循環されるカウント値をカウントアップする第１のカウント手段と、
前記フィールドＩＤ信号の両エッジにそれぞれ対応して、所定の範囲で循環されるカウント値をカウントアップする第２のカウント手段と、
前記第１のカウント手段のカウント値が第１の値であるとき、前記垂直同期信号のエッジに対応して、前記第２のカウント手段のカウント値を取得する取得手段と、
前記取得手段によって取得された前記第２のカウント手段のカウント値に基づき、前記映像信号が標準信号であるか、または非標準信号であるかを判定する判定手段と、
前記映像信号に対し、前記判定手段の判定結果に応じて異なる画像処理により前記映像信号からノイズを除去するノイズ除去手段と
を含むことを特徴とする映像信号処理装置。
【請求項８】
前記標準信号は、偶数フィールドと奇数フィールドが交互に配置されたインタレース方式の映像信号である
ことを特徴とする請求項７に記載の映像信号処理装置。
【請求項９】
入力される映像信号が標準的な信号であるか否かを判定する映像信号処理方法において、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理によるカウント値が第１の値であるとき、前記垂直同期信号のエッジに対応して、前記第２のカウントステップの処理によるカウント値を取得する取得ステップと、
前記取得ステップの処理で取得された前記第２のカウントステップの処理によるカウント値に基づき、前記映像信号が標準信号であるか、または非標準信号であるかを判定する判定ステップと、
前記映像信号に対し、前記判定ステップの処理での判定結果に応じて異なる画像処理により前記映像信号からノイズを除去するノイズ除去ステップと
を含むことを特徴とする映像信号処理方法。
【請求項１０】
入力される映像信号が標準的な信号であるか否かを判定するためのプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理によるカウント値が第１の値であるとき、前記垂直同期信号のエッジに対応して、前記第２のカウントステップの処理によるカウント値を取得する取得ステップと、
前記取得ステップの処理で取得された前記第２のカウントステップの処理によるカウント値に基づき、前記映像信号が標準信号であるか、または非標準信号であるかを判定する判定ステップと、
前記映像信号に対し、前記判定ステップの処理での判定結果に応じて異なる画像処理により前記映像信号からノイズを除去するノイズ除去ステップと
を含むことを特徴とするコンピュータが読み取り可能なプログラムが記録されている記録媒体。
【請求項１１】
入力される映像信号が標準的な信号であるか否かを判定するためのプログラムであって、
前記映像信号の水平同期信号に対する前記映像信号の垂直同期信号の位相差に対応して、フィールドＩＤ信号を生成するフィールドＩＤ信号生成ステップと、
前記垂直同期信号のエッジに対応して、所定の範囲で循環されるカウント値をカウントアップする第１のカウントステップと、
前記フィールドＩＤ信号の両エッジにそれぞれ対応して、所定の範囲で循環されるカウント値をカウントアップする第２のカウントステップと、
前記第１のカウントステップの処理によるカウント値が第１の値であるとき、前記垂直同期信号のエッジに対応して、前記第２のカウントステップの処理によるカウント値を取得する取得ステップと、
前記取得ステップの処理で取得された前記第２のカウントステップの処理によるカウント値に基づき、前記映像信号が標準信号であるか、または非標準信号であるかを判定する判定ステップと、
前記映像信号に対し、前記判定ステップの処理での判定結果に応じて異なる画像処理により前記映像信号からノイズを除去するノイズ除去ステップと
を含む処理をコンピュータに実行させることを特徴とするプログラム。
【発明の詳細な説明】
【０００１】
【発明の属する技術分野】
本発明は、映像信号処理装置および方法、記録媒体、並びにプログラムに関し、例えば、入力される映像信号が標準的なものであるか、非標準的なものであるかを判別する場合に用いて好適な映像信号処理装置および方法、記録媒体、並びにプログラムに関する。
【０００２】
【従来の技術】
ディジタル信号のノイズを低減するためのノイズ低減回路として、メモリを使用した、いわゆる巡回型のものが知られており、特にディジタル映像信号についてノイズ低減を行う場合に広く適用されている。
【０００３】
図１は、従来の巡回型ノイズ低減回路の構成の一例を示している。
【０００４】
当該巡回型ノイズ低減処理回路においては、入力端子１に対してディジタル映像信号が入力される。なお、この映像信号は、NTSC方式、PAL方式等に代表される、偶数フィールド画像と奇数フィールド画像から構成されるインタレース方式の映像信号である。入力端子１に入力された入力映像信号Ｄｉｎは、補間フィルタ２および減算器９に供給される。
【０００５】
減算器９は、入力映像信号Ｄｉｎから、後述する非線形処理回路８から入力されるノイズ成分信号を減算して出力端子１３およびフィールドメモリ４に出力する。この結果、出力端子１３からは、ノイズが低減された映像信号が出力されることになる。
【０００６】
フィールドメモリ４は、減算器９からのノイズが低減された映像信号を１フィールド周期だけ遅延し、前フィールド映像信号Ｄｐｒｅとして補間フィルタ５に出力する。一方、補間フィルタ２には、現フィールドの映像信号Ｄｉｎが入力されることになる。
【０００７】
補間フィルタ２および５は、入力された映像信号について、それぞれ垂直方向の画素について所定の係数を設定することで垂直方向の画素の補間を行う。なお、補間フィルタ２および５における係数設定は、現フィールド画像に対する、これより１フィールド前のフィールド画像の位相関係に応じて、フィールド周期ごとのタイミングで交互に切り換わるようになされている。
【０００８】
そして、このようにして補間フィルタ２および５それぞれにおいて補間処理が行われることにより、補間フィルタ２および５から出力される補間映像信号Ｄｐ１，Ｄｐ２との間で、垂直方向における画素の空間的位相関係が揃えられるようになされている。補間フィルタ２からの現フィールドタイミングの補間映像信号Ｄｐ１はワークメモリ３に書き込まれる。一方、補間フィルタ５からの現フィールドに対して１フィールド遅延された補間映像信号Ｄｐ２はワークメモリ６に書き込まれる。
【０００９】
ここで、補間フィルタ２および５による基本的な補間処理について、図２および図３を参照して説明する。
【００１０】
いま、補間フィルタ２に入力される入力映像信号Ｄｉｎが、図２に示すように、奇数フィールドｆ１の映像信号であるとする。また、補間フィルタ５に入力される前フィールド映像信号Ｄｐｒｅが、偶数フィールドｆ２の映像信号であるとする。
【００１１】
この場合、奇数フィールドｆ１である入力映像信号Ｄｉｎの画素Ｐ１，Ｐ２に対しては、偶数フィールドｆ２である前フィールド映像信号Ｄｐｒｅの画素Ｐ１１，Ｐ１２は、空間的に上下（垂直）方向に関して交互にずれるようにして位置している。すなわち、奇数フィールドｆ１と偶数フィールドｆ２それぞれにおける垂直方向の画素の間隔（ライン間隔）をＬとすると、一方のフィールドにおいて垂直方向に隣接する画素からそれぞれ等しいＬ／２の距離だけ離れた中間位置に他方のフィールド画素が位置していることになる。図２の場合には、奇数フィールドｆ１の上下方向に隣接する画素Ｐ１およびＰ２からそれぞれＬ／２の距離だけ下側となる位置に、偶数フィールドｆ２の画素Ｐ１１およびＰ１２が位置している。また、偶数フィールドｆ２の上下方向に隣接する画素Ｐ１１およびＰ１２から互いに等しいＬ／２の距離に画素Ｐ２が位置している。
【００１２】
補間フィルタ２は、奇数フィールドｆ１である入力映像信号Ｄｉｎの画素を利用して補間映像信号の画素Ｄｐ１を生成する。補間フィルタ５は、偶数フィールドｆ２である前フィールド映像信号Ｄｐｒｅの画素データを利用して補間映像信号Ｄｐ２の画素を生成する。
【００１３】
具体的に説明する。補間映像信号Ｄｐ１の画素Ｐ３は、補間前の入力映像信号Ｄｉｎ（ｆ１）の画素Ｐ１と画素Ｐ２の間隔Ｌに対して３：１の距離に位置する。すなわち、画素Ｐ３は、画素Ｐ１から３Ｌ／４の距離にあり、また画素Ｐ２からＬ／４の距離にある。したがって、この場合の補間フィルタ２における補間のための係数は、これに応じて１：３になるようにする。すなわち、画素Ｐ１およびＰ２の各値に対応する係数をそれぞれ１／４、３／４として、画素Ｐ１およびＰ２の値を重み付け平均することによって画素Ｐ３の値を算出する。
【００１４】
補間映像信号Ｄｐ２の画素Ｐ１３は、補間前の前フィールド映像信号Ｄｐｒｅ（ｆ２）の画素Ｐ１１と画素Ｐ１２の間隔Ｌに対して１：３の距離にある。すなわち、画素Ｐ１３は、画素Ｐ１１からＬ／４の距離にあり、また画素Ｐ１２から３Ｌ／４の距離にある。
【００１５】
したがって、この場合の補間フィルタ５における補間のための係数は、これに応じて３：１の比となるように、画素Ｐ１１およびＰ１２の各値に対応する係数をそれぞれ３／４、１／４とし、この係数により画素Ｐ１１およびＰ１２の値を重み付け平均することによって画素Ｐ１３の値を算出する。
【００１６】
このような補間演算により、奇数フィールドｆ１の入力映像信号Ｄｉｎを補間した補間映像信号Ｄｐ１の画素と、偶数フィールドｆ２の前フィールド映像信号Ｄｐｒｅを補間した補間映像信号Ｄｐ２の各画素は、図示するように、垂直方向の位置が揃うことになる。
【００１７】
図３は、図２の場合とは逆の場合、すなわち、補間フィルタ２に入力される入力映像信号Ｄｉｎが、偶数フィールドｆ２の映像信号で、補間フィルタ５に入力される前フィールド映像信号Ｄｐｒｅが、奇数フィールドｆ１の映像信号である場合を示している。
【００１８】
図３に示す場合においても、偶数フィールドｆ２である入力映像信号Ｄｉｎの画素Ｐ１およびＰ２に対しては、奇数フィールドｆ１である前フィールド映像信号Ｄｐｒｅの画素Ｐ１１およびＰ１２が、空間的位置の上下（垂直）方向に関して交互にずれるようにして位置することになるが、その上下の位置関係が図２の場合とは異なっている。つまり、偶数フィールドｆ２において上下方向に隣接する画素Ｐ１，Ｐ２からそれぞれＬ／２の距離だけ上側となる位置に、奇数フィールドｆ１の画素Ｐ１１およびＰ１２が位置している。また、奇数フィールドｆ１側からみた場合には、奇数フィールドｆ１側の上下方向に隣接する画素Ｐ１１およびＰ１２から互いに等しいＬ／２の距離に画素Ｐ１が位置していることになる。
【００１９】
すなわち、画素Ｐ３は、画素Ｐ１からＬ／４の距離にあり、また画素Ｐ２から３Ｌ／４の距離にある。したがって、この場合の補間フィルタ２における補間のための係数は、これに応じて３：１になるようにする。すなわち、画素Ｐ１およびＰ２の各値に対応する係数をそれぞれ３／４、１／４として、画素Ｐ１およびＰ２の値を重み付け平均することによって画素Ｐ３の値を算出する。
【００２０】
補間映像信号Ｄｐ２の画素Ｐ１３は、補間前の前フィールド映像信号Ｄｐｒｅ（ｆ１）の画素Ｐ１１と画素Ｐ１２の間隔Ｌに対して３：１の距離にある。すなわち、画素Ｐ１３は、画素Ｐ１１から３Ｌ／４の距離にあり、また画素Ｐ１２からＬ／４の距離にある。
【００２１】
したがって、この場合の補間フィルタ５における補間のための係数は、これに応じて１：３となるように、画素Ｐ１１およびＰ１２の各値に対応する係数をそれぞれ１／４、３／４とし、この係数により画素Ｐ１１およびＰ１２の値を重み付け平均することによって画素Ｐ１３の値を算出する。
【００２２】
このような補間演算により、偶数フィールドｆ２の入力映像信号Ｄｉｎを補間した補間映像信号Ｄｐ１の画素と、奇数フィールドｆ１の前フィールド映像信号Ｄｐｒｅを補間した補間映像信号Ｄｐ２の各画素は、図示するように、垂直方向の位置が揃うことになる。
【００２３】
つまり、図３の場合、補間フィルタ２は、先の図２にて補間フィルタ５に対して設定した係数を用い、補間フィルタ５は、先の図２にて補間フィルタ２に対して設定した係数を用いるようになされている。
【００２４】
このように、補間フィルタ２および５においては、入力映像信号Ｄｉｎが奇数フィールドｆ１で、前フィールド映像信号Ｄｐｒｅが偶数フィールドｆ２である場合、図２を参照して説明した係数を用いるようになされる。反対に、入力映像信号Ｄｉｎが偶数フィールドｆ２で、前フィールド映像信号Ｄｐｒｅが奇数フィールドｆ１である場合、図３を参照して説明した係数を用いるようになされている。
【００２５】
図１の説明に戻る。ワークメモリ３および６は、ディレイラインなどの遅延回路で構成される。ワークメモリ３および６は、ぞれぞれ、動きベクトル検出回路１０に対して補間映像信号Ｄｐ１，Ｄｐ２を供給するようになされている。また、ワークメモリ３および６は、メモリコントローラ１２からの制御に基づき、動き補償処理のために補間映像信号Ｄｐ１，Ｄｐ２を減算器７に供給するようになされている。
【００２６】
動きベクトル検出回路１０は、ワークメモリ３および６のそれぞれから入力された１フィールド分の時間差を有している補間映像信号Ｄｐ１，Ｄｐ２にブロックマッチング法などを適用して動きベクトルを検出する。ベクトル有効／無効判定回路１１では、動きベクトル検出回路１０によって検出された動きベクトルの有効性を判定する。つまり、動きベクトル検出回路１０によって検出された動きベクトルを動き補償に適用するか否かの判定を行う。
【００２７】
メモリコントローラ１２は、ベクトル有効／無効判定回路１１における判定結果に基づき、ワークメモリ３および６の読み出しを制御する。すなわち、メモリコントローラ１２は、ベクトル有効／無効判定回路１１によって動きベクトルが有効であると判定された場合、その動きベクトルに対応した動き補償処理が補間映像信号に施されるように、ワークメモリ３および６に動き補償制御信号を出力する。
【００２８】
メモリコントローラ１２からの制御に基づいてワークメモリ３および６のそれぞれから読み出された映像信号は減算器７に供給される。減算器７は、ワークメモリ３からの映像信号に対してワークメモリ６からの映像信号を減算した差分信号を算出して、動き補償が施された信号として非線形処理回路８に出力する。
【００２９】
非線形処理回路８は、減算器７からの差分信号に対し、所定の特性曲線を利用した減衰処理を行うものである。すなわち、減算器７からの差分信号から小振幅の信号成分を抽出することで、結果的にノイズ成分から成るノイズ成分信号を抽出する。抽出されたノイズ成分信号は、減算器９に出力される。
【００３０】
減算器９においては、上述したように、入力映像信号Ｄinからノイズ成分信号が減算される。このようにして、減算器９において減算が行われた信号は、ノイズが低減された映像信号として出力端子１３から出力されることになる。また、フィールドメモリ４に書き込まれることで、次のフィールドタイミングによるノイズ低減処理に利用されることになる。
【００３１】
【発明が解決しようとする課題】
ところで、例えばアナログVCR(Video cassette Recorder)などでは、通常の１倍速による再生を行うほか、例えば早送り、巻き戻し、ピクチャサーチなどの変則再生が可能とされている。
【００３２】
ここで、映像信号がインタレース方式である場合、一般に通常の１倍速による通常再生により再生される信号は、偶数フィールドと奇数フィールドの映像信号の水平同期パルスの位相が、垂直同期パルスを基準として、０．５ライン分だけシフトした信号となる。以下、このような信号を標準信号と記述する。
【００３３】
一方、上記したような早送り等の変則再生によって再生される映像信号は、垂直同期パルスを基準として、偶数フィールドと奇数フィールドの映像信号の水平同期パルスが同位相となる信号である。以下、このような信号を非標準信号と記述する。なお、標準信号であってもＳ／Ｎが低い状態のものや、ゲーム機が出力する映像信号も非標準信号に含まれる場合がある。
【００３４】
ここで、図１に示した巡回型ノイズ低減回路を、標準信号だけではなく、上述したアナログVCR等によって出力される非標準信号も入力されるテレビジョン受像機等に搭載した場合について考えてみる。
【００３５】
このような場合、図１に示した巡回型ノイズ低減回路により、入力された標準信号からはノイズ成分が正常に低減されることになる。
【００３６】
しかしながら、入力された非標準信号は、偶数フィールドと奇数フィールドの映像信号の水平同期パルスが同位相となるために、上記巡回型ノイズ低減回路においては、現フィールドが偶数フィールドであるか奇数フィールドであるかを正確に判定することができないことになる。そして、このような状態のもとで、補間フィルタ２および５による補間処理を含むノイズ低減動作が実行されてしまうと、ノイズを有効に低減することができなくなることがある。
【００３７】
このような不適切なノイズ低減動作の一例として、低減されるべきノイズが、画像上において、上方若しくは下方に移動していくようにして見えることが挙げられる。このように、ノイズ低減動作を実行することによって低減されるべきノイズが移動することは、ノイズ低減動作を実行しないことによってノイズが移動せずに残っている場合よりも、ノイズが目立ってしまい、より見苦しい映像となる場合があることが分かっている。
【００３８】
そこで、上記の対応策として、上記巡回型ノイズ低減装置に、入力された入力信号が標準信号であるか非標準信号であるかを判別する回路を追加し、入力された入力信号が標準信号である場合だけ、ノイズ低減動作を実行するようにすることなどが考えられる。
【００３９】
しかしながら、従来、入力された入力信号が標準信号であるか非標準信号であるかを、簡単な回路構成であって、かつ、安定して判別する回路は存在していない課題があった。
【００４０】
本発明はこのような状況に鑑みてなされたものであり、入力映像信号が標準信号であるか非標準信号であるかを、簡単な回路構成であって、かつ、安定して判別することができる回路を実現することを目的とする。
【００４１】
【課題を解決するための手段】
本発明の第１の映像信号処理装置は、映像信号の水平同期信号に対する映像信号の垂直同期信号の位相差に対応して、フィールドＩＤ信号を生成するフィールドＩＤ信号生成手段と、垂直同期信号のエッジに対応して、所定の範囲で循環されるカウント値をカウントアップする第１のカウント手段と、フィールドＩＤ信号の両エッジにそれぞれ対応して、所定の範囲で循環されるカウント値をカウントアップする第２のカウント手段と、第１のカウント手段のカウント値が第１の値であるとき、垂直同期信号のエッジに対応して、第２のカウント手段のカウント値を取得する取得手段と、取得手段によって取得された第２のカウント手段のカウント値に基づき、映像信号が標準信号であるか非標準信号であるかを判定する判定手段とを含むことを特徴とする。
【００４２】
前記判定手段は、取得手段によって取得された第２のカウント手段のカウント値も第１の値である場合、映像信号が標準信号であると判定し、取得手段によって取得された第２のカウント手段のカウント値が第２の値である場合、映像信号が非標準信号であると判定し、取得手段によって取得された第２のカウント手段のカウント値が第１の値および第２の値のいずれでもない場合、前回の判定結果を保持するようにすることができる。
【００４３】
前記標準信号は、偶数フィールドと奇数フィールドが交互に配置されたインタレース方式の映像信号であるということもできる。
【００４４】
本発明の第１の映像信号処理方法は、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理でのカウント値が第１の値であるとき、垂直同期信号のエッジに対応して、第２のカウントステップの処理でのカウント値を取得する取得ステップと、取得ステップの処理で取得された第２のカウントステップの処理でのカウント値に基づき、映像信号が標準信号であるか非標準信号であるかを判定する判定ステップとを含むことを特徴とする。
【００４５】
本発明の第１の記録媒体のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理でのカウント値が第１の値であるとき、垂直同期信号のエッジに対応して、第２のカウントステップの処理でのカウント値を取得する取得ステップと、取得ステップの処理で取得された第２のカウントステップの処理でのカウント値に基づき、映像信号が標準信号であるか非標準信号であるかを判定する判定ステップとを含むことを特徴とする。
【００４６】
本発明の第１のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理でのカウント値が第１の値であるとき、垂直同期信号のエッジに対応して、第２のカウントステップの処理でのカウント値を取得する取得ステップと、取得ステップの処理で取得された第２のカウントステップの処理でのカウント値に基づき、映像信号が標準信号であるか非標準信号であるかを判定する判定ステップとをコンピュータに実行させることを特徴とする。
【００４７】
本発明の第１の映像信号処理装置および方法、並びにプログラムにおいては、映像信号の水平同期信号に対する映像信号の垂直同期信号の位相差に対応して、フィールドＩＤ信号が生成され、垂直同期信号のエッジに対応して、所定の範囲で循環される第１のカウンタがカウントアップされる。また、フィールドＩＤ信号の両エッジにそれぞれ対応して、所定の範囲で循環される第２のカウンタがカウントアップされ、第１のカウンタが第１の値であるとき、垂直同期信号のエッジに対応して、第２のカウンタの値が取得され、取得された第２のカウントステップの処理での第２のカウンタの値に基づき、映像信号が標準信号であるか非標準信号であるかが判定される。
本発明の第２の映像信号処理装置は、映像信号の水平同期信号に対する映像信号の垂直同期信号の位相差に対応して、フィールドＩＤ信号を生成するフィールドＩＤ信号生成手段と、垂直同期信号のエッジに対応して、所定の範囲で循環されるカウント値をカウントアップする第１のカウント手段と、フィールドＩＤ信号の両エッジにそれぞれ対応して、所定の範囲で循環されるカウント値をカウントアップする第２のカウント手段と、第１のカウント手段のカウント値が第１の値であるとき、垂直同期信号のエッジに対応して、第２のカウント手段のカウント値を取得する取得手段と、取得手段によって取得された第２のカウント手段のカウント値に基づき、映像信号が標準信号であるか、または非標準信号であるかを判定する判定手段と、映像信号に対し、判定手段の判定結果に応じて異なる画像処理により映像信号からノイズを除去するノイズ除去手段とを含むことを特徴とする。
前記標準信号は、偶数フィールドと奇数フィールドが交互に配置されたインタレース方式の映像信号とすることができる。
本発明の第２の映像信号処理方法は、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理によるカウント値が第１の値であるとき、垂直同期信号のエッジに対応して、第２のカウントステップの処理によるカウント値を取得する取得ステップと、取得ステップの処理で取得された第２のカウントステップの処理によるカウント値に基づき、映像信号が標準信号であるか、または非標準信号であるかを判定する判定ステップと、映像信号に対し、判定ステップの処理での判定結果に応じて異なる画像処理により映像信号からノイズを除去するノイズ除去ステップとを含むことを特徴とする。
本発明の第２の記録媒体のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理によるカウント値が第１の値であるとき、垂直同期信号のエッジに対応して、第２のカウントステップの処理によるカウント値を取得する取得ステップと、取得ステップの処理で取得された第２のカウントステップの処理によるカウント値に基づき、映像信号が標準信号であるか、または非標準信号であるかを判定する判定ステップと、映像信号に対し、判定ステップの処理での判定結果に応じて異なる画像処理により映像信号からノイズを除去するノイズ除去ステップとを含むことを特徴とする。
本発明の第２のプログラムは、映像信号の水平同期信号に対する映像信号の垂直同期信号の位相差に対応して、フィールドＩＤ信号を生成するフィールドＩＤ信号生成ステップと、垂直同期信号のエッジに対応して、所定の範囲で循環されるカウント値をカウントアップする第１のカウントステップと、フィールドＩＤ信号の両エッジにそれぞれ対応して、所定の範囲で循環されるカウント値をカウントアップする第２のカウントステップと、第１のカウントステップの処理によるカウント値が第１の値であるとき、垂直同期信号のエッジに対応して、第２のカウントステップの処理によるカウント値を取得する取得ステップと、取得ステップの処理で取得された第２のカウントステップの処理によるカウント値に基づき、映像信号が標準信号であるか、または非標準信号であるかを判定する判定ステップと、映像信号に対し、判定ステップの処理での判定結果に応じて異なる画像処理により映像信号からノイズを除去するノイズ除去ステップとを含む処理をコンピュータに実行させることを特徴とする。
本発明の第２の映像信号処理装置および方法、並びにプログラムにおいては、映像信号の水平同期信号に対する映像信号の垂直同期信号の位相差に対応して、フィールドＩＤ信号が生成され、垂直同期信号のエッジに対応して、所定の範囲で循環される第１のカウント値がカウントアップされ、フィールドＩＤ信号の両エッジにそれぞれ対応して、所定の範囲で循環される第２のカウント値がカウントアップされる。そして、第１のカウント値が第１の値であるとき、垂直同期信号のエッジに対応して、第２のカウント値が取得され、取得された第２のカウント値に基づき、映像信号が標準信号であるか、または非標準信号であるかが判定される。さらに、判定結果に応じて異なる画像処理により映像信号からノイズが除去される。
【００４８】
【発明の実施の形態】
以下、本発明の一実施の形態である巡回型ノイズ低減装置について、図を参照して説明する。
【００４９】
当該巡回型ノイズ低減装置は、例えば映像信号を記録再生するVCR、地上波や衛星放送に対応するビデオチューナー、テレビジョン受像機などの映像信号処理を行う装置であって、NTSC方式、PAL方式などのインタレース方式による映像信号を処理する装置に搭載されるものである。
【００５０】
当該巡回型ノイズ低減装置は、映像信号に含まれる水平同期信号にロックしたラインロックのクロックに同期して動作するものであり、入力映像信号として、標準信号または非標準信号が入力されることを前提としている。ここで、標準信号と非標準信号について説明する。
【００５１】
本明細書において標準信号とは、正常なインタレース方式の映像信号を指す。すなわち、標準信号は、奇数フィールドと偶数フィールドが交互に存在するインタレース方式の映像信号であって、１水平走査期間を１Ｈとすれば、連続する奇数フィールドと偶数フィールドとでは、垂直同期パルスを基準として、水平同期パルスの位置（位相）が互いに０．５Ｈシフトしたものとなっている。これにより、画素の水平ラインは、奇数フィールドと偶数フィールドでは交互となる空間位置関係が得られる。インタレース方式の映像信号は、奇数フィールドと偶数フィールドがインタレース走査されることにより、１枚のフレーム画像が形成されるようになされている。
【００５２】
本明細書において非標準信号とは、例えばVCRが一時停止、早送り、巻き戻し、ピクチャサーチなどの変則再生を行ったときに出力する映像信号であり、垂直同期パルスを基準とする水平同期パルスの位置が、奇数フィールドと偶数フィールドとで同位相となっている映像信号である。
【００５３】
図４は、本発明の一実施に形態である巡回型ノイズ低減回路の構成例を示している。
【００５４】
当該巡回型ノイズ低減回路は、図１に示した従来の巡回型ノイズ低減回路に対して、フィールドＩＤ信号発生回路２１、非標準信号検出回路２２、および制御回路２３を追加したものである。
【００５５】
フィールドＩＤ発生回路２１は、当該巡回型ノイズ低減回路に入力された現在の映像信号に対応する水平同期信号および垂直同期信号ｘＶＤを入力として、標準信号（インタレース方式の映像信号）の垂直同期信号の位相が垂直同期区間毎に水平同期信号に対して０．５Ｈずれていることを検出して、フィールド毎にＨ(High)レベルまたはＬ(Low)レベルを交互にとるフィールドＩＤ信号ＡＦＤを生成して非標準信号検出回路２２に出力する。したがって、非標準信号が入力された場合、フィールドＩＤ信号発生回路２１から出力されるフィールドＩＤ信号は、ＨレベルまたはＬレベルを連続的にとることになる。また、フィールドＩＤ発生回路２１は、現在の映像信号に対応する垂直同期信号ｘＶＤを１Ｈだけ先行した先行垂直同期信号ｘＡＶＤを、非標準信号検出回路２２に出力する。
【００５６】
非標準信号検出回路２２は、当該巡回型ノイズ低減回路に入力された現在の映像信号に対応する垂直同期信号ｘＶＤ、フィールドＩＤ発生回路２１からの先行垂直同期信号ｘＡＶＤ、およびフィールドＩＤ発生回路２１からのフィールドＩＤ信号ＡＦＤを入力として、当該巡回型ノイズ低減回路に入力された映像信号が標準信号であるか非標準信号であるかを判定し、判定結果を示す非標準信号検出信号を補間フィルタ２および５、並びに非線形処理回路８に出力する。
【００５７】
なお、先行垂直同期信号ｘＡＶＤおよび垂直同期信号ｘＶＤは、図７Ａ，Ｂに示すように、１垂直周期において１クロック間だけＬレベルをとる信号である。フィールドＩＤ信号ＡＦＤは、図７Ｄに示すように、先行垂直同期信号ｘＡＶＤの立ち上がりエッジに同期して変化するものとする。
【００５８】
非標準信号検出信号が入力される補間フィルタ２および５、並びに非線形処理回路８では、非標準信号検出信号が、当該巡回型ノイズ低減回路に入力された映像信号が標準信号であることを示している場合には、上述した従来の場合と同様に動作するが、非標準信号検出信号が、当該巡回型ノイズ低減回路に入力された映像信号が非標準信号であることを示している場合には、補間フィルタ２の補間処理において用いる係数と補間フィルタ５の補間処理において用いる係数とを同一のものとするか、補間フィルタ２および５の補間処理を実行しないか、または、非線形処理回路８の出力（ノイズ成分信号）を０とすることにより実質的にノイズ除去を実行しないかの３種類の処理のいずれかを実行するようにする。
【００５９】
制御回路２３は、記録媒体２４に記憶されている制御用プログラムを読み出し、読み出した制御用プログラムに基づいて、当該巡回型ノイズ低減回路を構成する各回路を制御する。
【００６０】
なお、従来の場合と対応する回路には、同一の符号を付してあり、その説明は適宜省略する。
【００６１】
図５は、非標準信号検出回路２２の構成例を示している。非標準信号検出回路２２において、先行垂直同期信号ｘＡＶＤは、自走垂直同期エッジカウンタ３１に入力され、フィールドＩＤ信号ＡＦＤは、自走フィールドＩＤエッジカウンタ３２に入力され、垂直同期信号ｘＶＤは、比較回路３３に入力される。
【００６２】
自走垂直同期エッジカウンタ３１は、先行垂直同期信号ｘＡＶＤのエッジに同期して、０乃至７を循環するカウント値を１ずつインクリメントし、カウント値を自走フィールドＩＤエッジカウンタ３２および比較回路３３に出力する。
【００６３】
自走フィールドＩＤエッジカウンタ３２は、フィールドＩＤ信号ＡＦＤの立ち上がりエッジおよび立ち下がりエッジに同期して、カウント値を１ずつインクリメントする。なお、自走フィールドＩＤエッジカウンタ３２は、動作開始時の他、自走垂直同期エッジカウンタ３１のカウント値（以下、Ｖカウント値と記述する）が７から０に変化する時に自己のカウント値（以下、ＦＤエッジカウント値と記述する）を０にリセットする。
【００６４】
比較回路３３は、Ｖカウント値が７であって、垂直同期信号ｘＶＤがＬレベルを示すタイミングにおける、ＦＤエッジカウント値に対応して、非標準信号検出信号（非標準信号であることを示す場合にはＨレベルをとり、標準信号であることを示す場合にはＬレベルをとる）を生成し、後段に出力する。
【００６５】
次に、非標準信号検出回路２２による非標準信号検出処理について、図６のフローチャートを参照して説明する。この非標準信号検出処理は、当該巡回型ノイズ低減回路に映像信号が入力されたときに開始される。
【００６６】
ステップＳ１において、自走垂直同期エッジカウンタ３１および自走フィールドＩＤエッジカウンタ３２は、それぞれカウント値を０にリセットした後、所定の信号に同期してカウントを開始する。
【００６７】
ステップＳ２において、比較回路３３は、Ｖカウント値が７であって、垂直同期信号ｘＶＤがＬレベルを示すタイミングであるか否かを判定し、Ｖカウント値が７であって、垂直同期信号ｘＶＤがＬレベルを示すタイミングであると判定するまで待機する。Ｖカウント値が７であって、垂直同期信号ｘＶＤがＬレベルを示すタイミングであると判定された場合、処理はステップＳ３に進む。
【００６８】
ステップＳ３において、比較回路３３は、ＦＤエッジカウント値が７であるか否かを判定する。ＦＤエッジカウント値が７であると判定された場合、処理はステップＳ４に進む。ステップＳ４において、比較回路３３は、現在入力されている映像信号が標準信号であることを示すように、非標準信号検出信号をＬレベルとして後段に出力する。処理はステップＳ２に戻り、それ以降の処理が繰り返される。
【００６９】
ステップＳ３において、ＦＤエッジカウント値が７ではないと判定された場合、処理はステップＳ５に進む。ステップＳ５において、比較回路３３は、ＦＤエッジカウント値が０であるか否かを判定する。ＦＤエッジカウント値が０であると判定された場合、処理はステップＳ６に進む。ステップＳ６において、比較回路３３は、現在入力されている映像信号が非標準信号であることを示すように、非標準信号検出信号をＨレベルとして後段に出力する。処理はステップＳ２に戻り、それ以降の処理が繰り返される。
【００７０】
ステップＳ５において、ＦＤエッジカウント値が０ではないと判定された場合、すなわち、ＦＤエッジカウント値が１乃至６である場合、処理はステップＳ７に進む。ステップＳ７において、比較回路３３は、現在出力中の非標準信号検出信号のレベルを維持する。
【００７１】
このように、ＦＤエッジカウント値が１乃至６である場合には、前回の判定結果が維持されるような軟判定を採用したので、標準／非標準の判定が頻繁に変化しない、すなわち、安定した判定が行われることになる。処理はステップＳ２に戻り、それ以降の処理が繰り返される。
【００７２】
その後、当該巡回型ノイズ低減回路に対する映像信号の入力が終了されるまで、非標準信号検出処理は継続される。
【００７３】
なお、ステップＳ２における判定基準（Ｖカウント値＝７）や、ステップＳ５における判定基準（Ｖカウント値＝０）は、他の値であってもかなわない。
【００７４】
また、Ｖカウント値の範囲は、０乃至７出なくてもよい。
【００７５】
以上、非標準信号検出回路２２による非標準信号検出処理の説明を終了する。
【００７６】
図７および図８は、非標準信号検出回路２２の動作を示すタイミングチャートを示している。図７および図８において、同図Ａは垂直同期信号ｘＶＤを、同図Ｂは先行垂直同期信号ｘＡＶＤを、同図ＣはＶカウント値を、同図Ｄは先行フィールドＩＤ信号ＡＦＤを、同図Ｅは先行フィールドＩＤ信号ＡＦＤの両エッジを、同図ＦはＦＤエッジカウント値を、同図Ｇは非標準信号検出信号を示している。
【００７７】
図７は、映像信号が標準信号から非標準信号に変わったと判定された後、軟判定によって非標準信号との判定が保持されている例を示している。
【００７８】
図８は、映像信号が標準信号から非標準信号に変わったと判定された後、標準信号に戻った例を示している。
【００７９】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、例えば図４の記録媒体２４からインストールされる。
【００８０】
この記録媒体２４は、コンピュータとは別に、ユーザにプログラムを提供するために配布される、プログラムが記録されている磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどよりなるパッケージメディアにより構成されるだけでなく、コンピュータに予め組み込まれた状態でユーザに提供される、プログラムが記録されているROMやハードディスクなどで構成される。
【００８１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００８２】
【発明の効果】
以上のように、本発明によれば、入力映像信号が標準信号であるか非標準信号であるかを、簡単な回路構成であって、かつ、安定して判別することができる回路を実現することが可能となる。
【図面の簡単な説明】
【図１】従来の巡回型ノイズ低減回路の構成の一例を示すブロック図である。
【図２】図１の補間フィルタ２および５による補間処理を説明するための図である。
【図３】図１の補間フィルタ２および５による補間処理を説明するための図である。
【図４】本発明の一実施の形態である巡回型ノイズ低減回路の構成例を示すブロック図である。
【図５】図４の非標準信号検出回路２２の構成例を示すブロック図である。
【図６】非標準信号検出回路２２による非標準信号検出処理を説明するフローチャートである。
【図７】非標準信号検出回路２２の動作を示すタイミングチャートである。
【図８】非標準信号検出回路２２の動作を示すタイミングチャートである。
【符号の説明】
２，５  補間フィルタ，  ２１  フィールドＩＤ信号発生回路，  ２２  非標準信号検出回路，  ２３  制御回路，  ３１  自走垂直同期エッジカウンタ，  ３２  自走フィールドＩＤエッジカウンタ，  ３３  比較回路
【図１】
0003796751.tif 000002
【図２】
0003796751.tif 000003
【図３】
0003796751.tif 000004
【図４】
0003796751.tif 000005
【図５】
0003796751.tif 000006
【図６】
0003796751.tif 000007
【図７】
0003796751.tif 000008
【図８】
0003796751.tif 000009